(57)【特許請求の範囲】
【請求項１】
抽斗の鏡板に設けられた引手部材の回動にて、家具本体の内側面に設けられた係合体に、ラッチ体を係合解除するようにしてなる抽斗におけるラッチ装置において、引手部材は手掛かり部の後方に  左右に突出して回動自在に保持される回動軸と、回動軸の後方に連動体の上端が水平軸に対し回動自在に連結される連結突部を有し、ラッチ軸は、少なくとも、いずれか一方の左右端部に、係合体に係合解除するラッチ体と、前記連結突部の下方に位置し、連動体の下端が水平軸に対し回動自在に連結される連結突片とを有し、引手部材とラッチ軸は連動体で連係され、一端が前記連結突片に係止する巻バネをラッチ軸に外嵌した状態で、引手部材とラッチ軸と連動体と巻バネは、鏡板の前板裏面に仮固定可能とし、鏡板の裏板と前板を連結した状態で、巻バネの他端が前板の裏面に当接して、ラッチ体と係合体の係合状態を維持する方向に、ラッチ軸に回動力を付与せしめてなる事を特徴とする抽斗におけるラッチ装置。
【発明の詳細な説明】
【０００１】
【発明の属する技術分野】
本発明は、抽斗のラッチ装置に関するものである。
【０００２】
【従来の技術】
従来、上記装置は、ラッチ体と、把手と、この把手内に臨設させたラッチ解除レバーと、ラッチ解除レバーに加えられる操作力をラッチ体に伝達して、ラッチ体の係合状態を解除させる操作力伝達機構から構成されている。
この為、部品点数が多く、組立にも手間がかかり、高価となる欠点があった。
【０００３】
又、抽斗の高さ寸法に応じてラッチ体の取付高さを最も最適な位置に設定しているので、それに応じて、操作力伝達機構の大きさを変えなければならず、操作力伝達機構の構造が複雑であるのでさらに高価となる欠点があった。さらに、操作力伝達機構の大きさを変えると、ラッチ解除レバーとラッチ体の回動軸の方向（水平方向と垂直方向）が異なる為、ラッチ体に伝達される操作力が変化するので、高さの異なった複数段の抽斗を配設して使用されるキャビネットでは、各抽斗の操作力が異なる等の不都合が生じ、その調整も非常に困難であった。
【０００４】
さらに、上記ラッチ装置は、裏板に取付られている場合が多く、裏板は抽斗の胴板と連結され抽斗本体を形成しており、前板との連結時、抽斗本体を片手で容易に操作できないので、ラッチ装置は、前板の取付時に外れてしまう事があり、作業性が悪く、裏板に確実に固定する為には部材点数が増加し高価となる欠点があった。
【０００５】
【発明が解決しようとする課題】
本発明は、部材点数が少なく、構造が簡単で、作業性に優れ、高さが異なる抽斗にも容易に対応でき、前板と裏板の連結も容易な抽斗のラッチ装置を提供する事を課題とする。
【０００６】
【課題を解決する為の手段】
そこで、上記課題を解決する為、本発明が第１の手段として構成したところは、抽斗の鏡板に設けられた引手部材の回動にて、家具本体の内側面に設けられた係合体に、ラッチ体を係合解除するようにしてなる抽斗におけるラッチ装置において、引手部材は手掛かり部の後方に  左右に突出して回動自在に保持される回動軸と、回動軸の後方に連動体の上端が水平軸に対し回動自在に連結される連結突部を有し、ラッチ軸は、少なくとも、いずれか一方の左右端部に、係合体に係合解除するラッチ体と、前記連結突部の下方に位置し、連動体の下端が水平軸に対し回動自在に連結される連結突片とを有し、引手部材とラッチ軸は連動体で連係され、一端が前記連結突片に係止する巻バネをラッチ軸に外嵌した状態で、引手部材とラッチ軸と連動体と巻バネは、鏡板の前板裏面に仮固定可能とし、鏡板の裏板と前板を連結した状態で、巻バネの他端が前板の裏面に当接して、ラッチ体と係合体の係合状態を維持する方向に、ラッチ軸に回動力を付与せしめてなるものである。
【０００９】
【発明の実施の形態】
抽斗の鏡板に設けた引手部材の回動にて、家具本体の内側面に設けた係合体に、ラッチ体を係合解除するようにしてなる抽斗に於けるラッチ装置において、引手部材は手掛かり部の後方に  左右に突出して回動自在に保持される回動軸と、回動軸の後方で連動体の上端が水平軸に対し回動自在に連結される連結突部を有し、ラッチ軸は、少なくとも、いずれか一方の左右端部に、係合体に係合解除するラッチ体と、前記連結突部の下方に位置し、連動体の下端が水平軸に対し回動自在に連結される連結突片とを有し、引手部材とラッチ軸は連動体で連係され、一端が前記連結突片に係止する巻バネがラッチ軸に外嵌した状態で、引手部材とラッチ軸と連動体と巻バネは、鏡板の前板に仮固定可能とし、裏板と前板を連結した状態で、巻バネの他端が前板の裏面に当接して、ラッチ体と係合体の係合状態を維持する方向に、ラッチ軸に回動力を付与せしめたものである。
【０００９】
【実施例】
以下、本発明を実施例に基づいて詳述する。
符号１は本発明に係わるラッチ装置を示し、ラッチ装置１は、鏡板１０の上部に回動自在に取付られる引手部材２と、引手部材２の回動に連動して回動するラッチ軸３と、ラッチ軸３の端部に設けられ、鏡板１０の左右何れかの端部後方に位置するラッチ体４と、ラッチ軸３に回動力を付与する巻バネ５と、引手部材２の回動運動をラッチ軸３に伝達する連動体６と、家具本体１００にもうけられた係合体７より構成されている。
【００１０】
鏡板１０は、抽斗胴板１１の前端に固着された前面が開口する裏板８と、後面が開口し、裏板８に着脱自在に取付られる合成樹脂製の前板９より構成されている。
前板９は、左右方向に対称形に形成されているので、右側についてのみ説明すると、図２、図３に示す如く、前面中央に上方に向かって深くなる傾斜案内部９１と、傾斜案内部９１の上端を後方に突出させた引手載置突部９２と、引手載置突部９２の上方に形成された引手導出孔９３を有し、全体が左右方向で弓形に湾曲する前面部９４と、前面部９４の上下左右端部で後方に突出して形成され、後方が開口する周囲枠９０より、合成樹脂材にて一体に形成されている。
【００１１】
周囲枠９０は、前面部９４の左右端部に形成された後方に突出する左右舌片９５、９５と、前面部９４の上端部に形成され、後端に係止突部９６１が形成された断面横向きＬ字形の上舌片９６と、前面部９４の下端部やや上方位置で後方に突出し、裏板８と連結するための連結孔９７１・・・を有する下舌片９７より形成されている。
【００１２】
そして、傾斜案内部９１の上下方向中央部のやや下方位置の左右端部裏面に、後方に突出するラッチ軸保持突部３０が形成され、前面部９４の左右端部裏面に、ラッチ軸保持突部３０に対応して、ラッチ軸支持突部３１が形成され、傾斜案内部９１の下端部左右方向中央部に巻バネ係止部３２が形成され、引手導出孔９３の左右外方側の上端で、前面部９４の裏面に引手回動支持突部３３が形成され、下舌片９６と前面部９４間の左右方向に所定間隔を有し、後端に前記連結突縁８６が嵌入する嵌入間隙３４を有する補強突部３５・・・が形成されている。
【００１３】
前記ラッチ軸保持突部３０、３０は、後端部に、上面が開口するラッチ軸導入部３０１と、ラッチ軸導入部３０１の前方側に連続して形成されたラッチ軸保持部３０２よりなるＬ字形のラッチ軸保持孔３００を有し、ラッチ軸導入部３０１の前側壁３０３を後側壁３０４より高く形成する事により、ラッチ軸３を容易にラッチ軸保持孔３００に装着できるようにすると共に、前板９と裏板８の連結時に、ラッチ軸３がラッチ軸保持部３０２から抜け出すのを防止している。
又、前記ラッチ軸支持突部３１の後端部には、後面が開口するラッチ軸支持孔３１１が形成されている。
【００１４】
裏板８は、左右方向で対称形に形成されているので、一方側についてのみ説明すると、図４、図５に示すように、基板８１の左右側端部を前方に折り曲げた側部折り曲げ縁８２の端部に延出して横向きＬ字形に形成され、前板９の左右舌片９５、９５の裏面側に位置するラッチ軸支持突縁８４と、基板８１の下端部が前方に延出して、抽斗胴板１１の前端と固着されて前板９の下舌片９７の内面側にネジ止めされる連結突縁８５と、基板８１の上端中央部を前方に延出し、前端が下方に折り曲げられ、前板９の引手載置部９２後端の左右外方側に位置するた引手支持突縁８６と、基板８１の上端左右側を前方に延出し、前端が上方に横向き略Ｌ字形に折り曲げられ、前板９の係止突部９６１の裏面に係止する前板係止上縁８７を有し、ラッチ軸支持突縁８４には、抽斗胴板１１の外側に位置する箇所にラッチ軸挿通孔８３が形成され、連結突縁８５には前板９とネジ止めするための連結螺孔８８・・・が連結孔９７１・・・に対応して形成されている。
【００１５】
引手部材２は、載置基板２１の前端に形成された下方に突出する手掛かり部２２と、手掛かり部２２の後方で載置基板２１の前後方向略中央部で左右外方に突出する回動軸２３、２３と、回動軸２３、２３の後方側の載置基板２１の左右方向略中央部で下方に突出する連結突部２４を有し、合成樹脂材にて一体に形成されている。
そして、連結突部２４には、連動体６の上端が水平軸に対し回動自在に連結される枢止連結孔２４１が形成されている。
【００１６】
ラッチ軸３は角軸より形成され、少なくとも左右端部の一端に前記裏板８のラッチ軸挿通孔８３より後端部が後方に突出するラッチ体４が取付られ、前記連結突部２４に対応する位置に、連結突片３６が固着され、連結突片３６には連動体６の下端が水平軸に対し回動自在に連結される枢止孔３６２が形成されている。
ラッチ軸３は上記の如く形成され、左右端部が前板９の左右舌片９５、９５の内面に近接して左右方向への移動が阻止され、中央部及び左右端部側が、前記ラッチ軸支持孔３１１、３１１、ラッチ軸保持孔３０２、３０２に嵌入し、裏板８のラッチ軸支持突縁８４、８４にて後方への移動が阻止された状態で、回動自在に挿通し、鏡板１０内に回動自在に保持される。
【００１７】
連動体６は、鉄製の丸棒の上端部を下向きＬ字形に、下端部を上向きＬ字形に折り曲げて、上端係止部６１と下端係止部６２が形成され、上端係止部６１を、引手部材２の枢止連結孔２４１に、下端係止部６２を、ラッチ軸３の枢止孔３６２に嵌入して、水平軸に対し回動自在に連結されると共に、上下端係止部６１、６２と、枢止連結部２４１、枢止孔３６２のギャプによって、連動体６と引手部材２とラッチ軸３は、フレキシブに連結された状態となり、各部材の加工精度のズレに対応している。
【００１８】
ラッチ体４は、前端がラッチ軸３に回動不能に取付られる基体４１と、基体４１の後端に形成された、上方に突出し後面に上向き傾斜面４２１を有する鉤部４２より合成樹脂材にて一体に成形されている。
係合体７は、鉤部４２の前側に位置し、前面に下向き傾斜面７１１を有する係止鉤部７１と、係止鉤部７１の外側で家具本体１００の内面に当接する支持基板７２と、支持基板７２の外側で、家具本体１００に嵌合して取りつけられる嵌合突部７３より合成樹脂材にて一体に成形されている。
【００１９】
巻バネ５は、ラッチ軸３に外嵌し、一端が前記連結突片３６の下端面に係止し、他端が、裏板８と前板９の連結状態で、前板９の巻バネ係止部３２に係止し、常にラッチ体４と係合体７の係合状態を維持する方向に、ラッチ軸３に回転力を付与せしめている。
【００２０】
すなわち、抽斗が家具本体１００内に収納され、ラッチ体４が係合体７に係合した状態（図６に示す状態）から抽斗を引き出す時は、引手部材２の手掛り部２２を下方より上方に持ち上げるように、指先をそえると、引手部材２は回動軸２３、２３を中心として連結突部２４が下方に移動する方向に回動する。
連結突部２４が下方に移動すると、同時に連動体６も下方に移動し、この連動体６の下方への移動は、連結突片３６の後端部を巻バネの弾撥力に抗して下方に押しやり、同時にラッチ軸３を図６で反時計廻りの方向に回動させ、さらに、ラッチ体４の鉤部４２は下方に移動して、係合体７の係止鉤部７１との係止状態は解除され（図７に示す状態）、この状態を維持しながら抽斗を引き出す。
【００２１】
一方、引き出された抽斗を家具本体１００内に収納する場合は、ラッチ体４の鉤部４２の後面に形成された上向き傾斜面４２１が、係合体７の係止鉤部７１の前面に形成された下向き傾斜面７１１に接触し、下向き傾斜面によってラッチ体４は、抽斗の収納方向への移動と共に、反時計廻りの方向に回動し、鉤部４２が係止鉤部７１の後方に位置すると同時に、ラッチ体４は巻バネ５の弾撥力によって、時計廻りの方向に回動し、鉤部４２は係止鉤部７１に係合する。
【００２２】
【発明の効果】
請求項１に記載の発明によれば、引手部材は手掛かり部の後方に  左右に突出して回動自在に保持される回動軸と、回動軸の後方に連動体の上端が水平軸に対し回動自在に連結される連結突部を有し、ラッチ軸は、少なくとも、いずれか一方の左右端部に、係合体に係合解除するラッチ体と、前記連結突部の下方に位置し、連動体の下端が水平軸に対し回動自在に連結される連結突片とを有し、引手部材とラッチ軸は連動体で連係され、一端が前記連結突片に係止する巻バネをラッチ軸に外嵌した状態で、引手部材とラッチ軸と連動体と巻バネは、鏡板の前板裏面に仮固定可能とし、裏板と前板の連結状態で、巻バネの他端が前板の裏面に当接して、ラッチ体と係合体の係合状態を維持する方向に、ラッチ軸に回動力を付与せしめているので、部材点数が少なく、構造が簡単で、作業性に優れに、高さが異なる抽斗にも容易に対応でき、前板と裏板の連結も容易で、安価に製作できる。
【図面の簡単な説明】
【図１】    本発明の要部分解斜視図
【図２】    前板の縦断面図
【図３】    前板右半分の横断面図
【図４】    裏板部分の縦断面図
【図５】    裏板部分の右半分の平面図
【図６】    ラッチ体と係合体が係合した状態での本発明の縦断面図
【図７】    ラッチ体と係合体の係合が解除した状態での本発明の縦断面図
【図８】    ラッチ体と係合体が係合した状態での本発明の横断面図
【符号の説明】
１        ラッチ装置
１０      鏡板
１１      抽斗胴板
１００    家具本体
２        引手部材
２２      手掛かり部
２３      回動軸
２４      連結突部
３        ラッチ軸
３６      連結突片
４        ラッチ体
５        巻バネ
６        連動体
７        係合体
【図１】
0003771717.tif 000002
【図２】
0003771717.tif 000003
【図３】
0003771717.tif 000004
【図４】
0003771717.tif 000005
【図５】
0003771717.tif 000006
【図６】
0003771717.tif 000007
【図７】
0003771717.tif 000008
【図８】
0003771717.tif 000009